(57)【特許請求の範囲】
【請求項１】
電子デバイスであって、
ベースと、
該ベースに結合され、該ベースに対して移動可能なタッチスクリーンディスプレイであって、該タッチスクリーンディスプレイは、ディスプレイおよび該ディスプレイに重なるタッチセンシティブ入力デバイスを有する、タッチスクリーンディスプレイと、
機械的スイッチを備えているフィードバック機構であって、該機械的スイッチは、該ベースから離れて、該タッチセンシティブ入力デバイスに向かうように動かされ、該機械的スイッチは、該タッチスクリーンディスプレイの該ベースに対する旋回運動を引き起こす力を該タッチセンシティブ入力デバイスに加えることに応答して、作動される、フィードバック機構と、
該タッチスクリーンディスプレイに結合されたプロセッサと
を備えている、電子デバイス。
【請求項２】
前記タッチスクリーンディスプレイは、前記ディスプレイおよび前記タッチセンシティブ入力デバイスを支持するためのディスプレイサポートを備え、該ディスプレイおよび該タッチセンシティブ入力デバイスが該ディスプレイサポート上に配置される、請求項１に記載の電子デバイス。
【請求項３】
前記フィードバック機構は、前記タッチスクリーンディスプレイの旋回運動に応答して、前記機械的スイッチを動かすための少なくとも１つのレバーを備えている、請求項１に記載の電子デバイス。
【請求項４】
前記フィードバック機構は、前記タッチスクリーンディスプレイの旋回運動に応答して、前記機械的スイッチを動かすための、該機械的スイッチの近位から該タッチスクリーンディスプレイの対向する側に向けて延びる一対のレバーアームを備えている、請求項１に記載の電子デバイス。
【請求項５】
各レバーアームが前記ベースに対して旋回可能である、請求項４に記載の電子デバイス。
【請求項６】
各レバーアームがピボットピンの周囲で旋回可能である、請求項５に記載の電子デバイス。
【請求項７】
前記タッチセンシティブ入力デバイスに加えられる力がないとき、各レバーアームが前記タッチスクリーンディスプレイから離れている、請求項５に記載の電子デバイス。
【請求項８】
各レバーアームと前記タッチスクリーンディスプレイとの間に配置されるそれぞれのバイアス要素を備えている、請求項７に記載の電子デバイス。
【請求項９】
各レバーアームが、前記タッチスクリーンディスプレイの前記ベースへ向かう旋回運動に応答して旋回可能である、請求項５に記載の電子デバイス。
【請求項１０】
旋回中に前記機械的スイッチを前記タッチスクリーンディスプレイに向けて動かすために、各レバーアームが該機械的スイッチの下に、前記ベースと該機械的スイッチとの間に延びる、請求項９に記載の電子デバイス。
【請求項１１】
各レバーアームによって前記機械的スイッチが前記タッチスクリーンディスプレイに向けて移動可能である、請求項９に記載の電子デバイス。
【請求項１２】
各レバーアームが、前記機械的スイッチが変位させられるときに該機械的スイッチを支持するための支持表面を備えている、請求項６に記載の電子デバイス。
【請求項１３】
前記一対のレバーアームが互いにヒンジで取り付けられる、請求項１２に記載の電子デバイス。
【請求項１４】
前記一対のレバーアームが、単一であり、かつ、材料の薄い部分によって互いに接続される、請求項１３に記載の電子デバイス。
【請求項１５】
前記一対のレバーアームが前記機械的スイッチの下で互いにヒンジで取り付けられる、請求項６に記載の電子デバイス。
【請求項１６】
前記一対のレバーアームの各々が前記ベースと前記機械的スイッチとの間に配置される複数のリフトフィンガを有し、該一対のレバーアームのうちの一方の複数のリフトフィンガが、該一対のレバーアームのうちのもう一方の複数のリフトフィンガの間に挿入される、請求項５に記載の電子デバイス。
【請求項１７】
前記フィードバック機構は４つのレバーアームを備え、前記タッチセンシティブ入力デバイスに加えられた力に起因する該タッチスクリーンディスプレイの動きに応答して前記機械的スイッチを動かすために、各レバーアームは該機械的スイッチから該タッチスクリーンディスプレイのそれぞれの角に向かって延びる、請求項１に記載の電子デバイス。
【請求項１８】
前記機械的スイッチは前記ベースの中心に位置する、請求項１に記載の電子デバイス。
【請求項１９】
前記機械的スイッチはドームタイプの機械的スイッチである、請求項１８に記載の電子デバイス。
【請求項２０】
複数の側壁と、前記タッチスクリーンディスプレイを囲み、該側壁によって前記ベースに接続されるフレームとを備えている、請求項１に記載の電子デバイス。
【請求項２１】
前記ベースと前記タッチスクリーンディスプレイとの間に延びる側壁を備えている、請求項１に記載の電子デバイス。
【請求項２２】
前記側壁は連続的であり、前記タッチスクリーンディスプレイの外周の周りに延びている、請求項２１に記載の電子デバイス。
【発明の詳細な説明】
【技術分野】
【０００１】
本願は概して、タッチスクリーンデバイスに関し、そのようなタッチスクリーンデバイスに対する触覚応答を提供するための装置に関する。
【背景技術】
【０００２】
ポータブル電子デバイスは広範囲の使用を獲得してきており、例えば、電話メッセージング、電子メッセージングおよび他の個人情報マネージャ（ＰＩＭ）アプリケーション機能を含む、種々の機能を提供し得る。ポータブル電子デバイスは、モバイルステーション（例えば、単純なセル式電話、スマートフォン、ワイヤレスＰＤＡ、ワイヤレス８０２．１１またはＢｌｕｅｔｏｏｔｈ能力を有するラップトップコンピュータ）を含む、いくつかのタイプのデバイスを含み得る。これらのデバイスは、ＭｏｂｉｔｅｘおよびＤａｔａＴＡＣのようなデータ専用ネットワークから、ＧＳＭ／ＧＰＲＳ、ＣＤＭＡ、ＥＤＧＥ、ＵＭＴＳおよびＣＤＭＡ２０００ネットワーク等の複雑な音声およびデータネットワークまでの広範囲のネットワーク上で実行する。
【０００３】
ＰＤＡまたはスマートフォンのようなデバイスは、概して、ハンドヘルドでの使用および容易な可搬性を意図される。より小さなデバイスは、概して、可搬性のために望ましい。タッチスクリーン入力／出力デバイスは、このようなハンドヘルドデバイス上で特に有用である。なぜならば、このようなハンドヘルドデバイスは小さく、それゆえユーザ入力および出力デバイスのために利用可能な空間が限定されるからである。さらに、タッチスクリーン入力／出力デバイス上のスクリーンコンテンツは、実行される機能および動作に依存して修正され得る。
【０００４】
タッチスクリーン入力／出力デバイスは、タッチセンシティブオーバーレイ（ｔｏｕｃｈ−ｓｅｎｓｉｔｉｖｅ  ｏｖｅｒｌａｙ）を有するディスプレイ（例えば、液晶ディスプレイ）から構成される。しかし、これらの入力／出力デバイスは、ユーザ相互作用および応答に関する固有の不利点の影響を受ける。特に、このようなタッチスクリーン入力／出力デバイスは、入力を明確（ｐｏｓｉｔｉｖｅ）に示すためのユーザ所望の触覚フィードバックを提供することができず、不十分なユーザ経験を提供する。
【発明の開示】
【発明が解決しようとする課題】
【０００５】
それゆえ、入力／出力デバイスにおける改善が望まれる。
【課題を解決するための手段】
【０００６】
一局面に従うと、電子デバイスは、ベースと、該ベースに接続され、該ベースに対して移動可能なタッチスクリーンディスプレイとを備え得る。タッチスクリーンディスプレイは、ディスプレイデバイスと、該ディスプレイデバイスに重なるタッチセンシティブ入力表面とを備え得る。上記電子デバイスは、フィードバック機構を含み、該フィードバック機構は、タッチスクリーンディスプレイの動きを引き起こす、タッチセンシティブ入力表面への力の適用に応答して作動する、ベースに対して移動可能なスイッチを含む。動作コンポーネントが、電子デバイスの動作のために、タッチスクリーンディスプレイに接続される。
【０００７】
別の局面に従うと、タッチスクリーンディスプレイは、ディスプレイデバイスと該ディスプレイデバイスを伴うタッチセンシティブ入力表面に機械的支持を提供するためのディスプレイサポートと、該ディスプレイサポート上に配置されるタッチセンシティブ入力表面とを備え得る。
【０００８】
別の局面に従うと、上記フィードバック機構は、上記タッチセンシティブ入力表面に加えられる力に起因するタッチスクリーンディスプレイの動きに応答してスイッチを動かすための少なくとも１つのレバーを備え得る。
【０００９】
別の局面に従うと、上記フィードバック機構は、タッチスクリーンディスプレイの動きに応答してスイッチを動かすための、該スイッチの近位から、該タッチスクリーンディスプレイの対向する側に向けて延びる１対のレバーアームを備え得る。
【００１０】
さらに別の局面に従うと、上記フィードバック機構は、４つのレバーアームを備え得、タッチスクリーンディスプレイの動きに応答してスイッチを動かすために、各レバーアームは、スイッチからタッチスクリーンディスプレイのそれぞれの角に向けて延びる。
【００１１】
複数の実施形態に従うと、レバーアームは、例えば、上記タッチスクリーンディスプレイの上記ベースに向かう動きに応答してそれぞれのピボットピンの周囲で旋回可能であり得、旋回するときにスイッチをタッチスクリーンディスプレイに向けて動かすためにスイッチの下側の下に延び得る。レバーアームは、タッチセンシティブ入力表面上に力が加えられていないとき、タッチスクリーンディスプレイから離れ得る。バイアス要素が、各レバーアームとタッチスクリーンディスプレイとの間に配置され得る。フィードバック機構はプラットフォームを備え得、該プラットフォーム上にスイッチが配置される。レバーアームは互いにヒンジで取り付けられ、薄い材料で形成されたヒンジによって単一式にされ得る。複数のレバーアームのそれぞれは、ベースとスイッチとの間に配置されるリフトフィンガを含み得、レバーアームのうちの１つのリフトフィンガは、残りのレバーアームのリフトフィンガ間に挿入される。スイッチは、概して、ベースに対して中心に合わせられ得、ドームタイプスイッチであり得る。
【００１２】
別の局面に従うと、タッチスクリーンディスプレイが提供され得、該タッチスクリーンディスプレイは、ベースと、該ベースに接続され、該ベースに対して移動可能なディスプレイデバイスと、該ディスプレイデバイスに重なるタッチセンシティブ入力表面と、フィードバック機構とを含む。フィードバック機構は、タッチセンシティブ入力表面およびディスプレイデバイスの動きを引き起こすタッチセンシティブ入力表面への力の適用に応答して動作する、ベースに対して移動可能なスイッチを備え得る。
【００１３】
本発明は、さらに以下の手段を提供する。
（項目１）  
電子デバイスであって、
ベースと、
該ベースに接続され、該ベースに対して移動可能なタッチスクリーンディスプレイであって、該タッチスクリーンディスプレイは、ディスプレイデバイスおよび該ディスプレイデバイスに重なるタッチセンシティブ入力表面を有する、タッチスクリーンディスプレイと、
該ベースから離れて、該タッチセンシティブ入力表面に向かうように動くスイッチを備えているフィードバック機構であって、該スイッチは、該タッチセンシティブ入力表面に対する力の適用に応答して作動し、該力は該タッチスクリーンディスプレイの旋回運動を引き起こす、フィードバック機構と、
該電子デバイスの動作のために該タッチスクリーンに接続された動作コンポーネントと
を備えている、電子デバイス。
（項目２）
上記タッチスクリーンディスプレイは、上記ディスプレイデバイスおよび上記タッチセンシティブ入力表面に支持を与えるためのディスプレイサポートを備え、該ディスプレイデバイスおよび該タッチセンシティブ入力表面が該ディスプレイサポート上に配置される、項目１に記載の電子デバイス。
（項目３）
上記フィードバック機構は、上記タッチスクリーンディスプレイの上記タッチセンシティブ入力表面に加えられた力に起因する、該タッチスクリーンディスプレイの動きに応答して、上記スイッチを動かすための少なくとも１つのレバーを備えている、項目１に記載の電子デバイス。
（項目４）
上記フィードバック機構は、上記タッチスクリーンディスプレイの動きに応答して、上記スイッチを動かすための、該スイッチの近位から該タッチスクリーンディスプレイの対向する側に向けて延びる一対のレバーアームを備えている、項目１に記載の電子デバイス。
（項目５）
各レバーアームが上記ベースに対して旋回可能である、項目４に記載の電子デバイス。
（項目６）
各レバーアームがピボットピンの周囲で旋回可能である、項目５に記載の電子デバイス。
（項目７）
上記タッチセンシティブ入力表面上に加えられる力がないとき、各レバーアームが上記タッチスクリーンディスプレイから離れている、項目５に記載の電子デバイス。
（項目８）
各レバーアームと上記タッチスクリーンディスプレイとの間に配置されるそれぞれのバイアス要素を備えている、項目７に記載の電子デバイス。
（項目９）
各レバーアームが、上記タッチスクリーンディスプレイの上記ベースへ向かう動きに応答して旋回可能である、項目５に記載の電子デバイス。
（項目１０）  
旋回中に上記スイッチを上記タッチスクリーンディスプレイに向けて動かすために、各レバーアームが該スイッチの下に、上記ベースと該スイッチとの間に延びる、項目９に記載の電子デバイス。
（項目１１）
各レバーアームによって上記スイッチが上記タッチスクリーンディスプレイに向けて移動可能である、項目１０に記載の電子デバイス。
（項目１２）
上記各レバーアームが、上記スイッチが変位させられるときに該スイッチを支持するための支持表面を備えている、項目５に記載の電子デバイス。
（項目１３）
上記レバーアームが互いにヒンジで取り付けられる、項目１２に記載の電子デバイス。
（項目１４）
上記レバーアームが単一式であり、材料の薄い部分によって互いに接続される、項目１３に記載の電子デバイス。
（項目１５）
上記レバーアームが上記スイッチの下で互いにヒンジで取り付けられる、項目５に記載の電子デバイス。
（項目１６）
上記複数のレバーアームの各々が上記ベースと上記スイッチとの間に配置される複数のリフトフィンガを有し、該複数のレバーアームのうちの一方の複数のリフトフィンガが、該複数のレバーアームのうちのもう一方の複数のリフトフィンガの間に挿入される、項目５に記載の電子デバイス。
（項目１７）
上記フィードバック機構は４つのレバーアームを備え、上記タッチスクリーンディスプレイの上記タッチセンシティブ入力表面に加えられた力に起因する該タッチスクリーンディスプレイの動きに応答して上記スイッチを動かすために、各レバーアームは該スイッチから該タッチスクリーンディスプレイのそれぞれの角に向かって延びる、項目１に記載の電子デバイス。
（項目１８）
上記スイッチは上記ベースに関して実質的に中心に合わせられる、項目１に記載の電子デバイス。
（項目１９）
上記スイッチはドームタイプスイッチである、項目１８に記載の電子デバイス。
（項目２０）
複数の側壁と、上記タッチスクリーンディスプレイを囲み、該側壁によって上記ベースに接続されるフレームとを備えている、項目１に記載の電子デバイス。
（項目２１）
上記ベースと上記タッチスクリーンディスプレイとの間に延びる可撓性の側壁を備えている、項目１に記載の電子デバイス。
（項目２２）
上記可撓性の側壁は連続的であり、上記タッチスクリーンディスプレイの外周の周りに延びている、項目２１に記載の電子デバイス。
【００１４】
（摘要）
電子デバイスは、ベースと、該ベースに接続され、該ベースに対して移動可能なタッチスクリーンディスプレイとを含む。該タッチスクリーンディスプレイは、ディスプレイデバイスと該ディスプレイデバイスに重なるタッチセンシティブ入力表面とを含む。電子デバイスは、タッチスクリーンディスプレイの動きを引き起こすタッチセンシティブ入力表面への力の適用に応答して動作する、ベースに対して移動可能なスイッチを含む。該電子デバイスの動作のために該タッチスクリーンに動作コンポーネントが接続される。
【発明を実施するための最良の形態】
【００１５】
単なる例示として添付の図面を参照して本出願の実施形態が記載される。
【００１６】
例示の単純化および明瞭化のために、適切であると考えられる場合には、複数の図面の間で参照番号が繰り返され得、対応する要素または類似の要素を示し得るということに留意されたい。さらに、本明細書中に記載されている実施形態の完全な理解を提供するために、数多くの具体的な詳細が開示されている。しかしながら、本明細書中に記載されている実施形態は、これらの具体的な詳細がなくても実施され得ることが、当業者によって理解される。その他の実例、周知の方法、手順、およびコンポーネントは、本明細書中に記載されている実施形態を不明瞭にしないようにするために、詳細には記載されていない。また、この記載は、本明細書中に記載されている実施形態の範囲を限定するものとして考えられるべきではない。例示的な図、特に、図２および図４〜図１３に示される図は、縮尺が合っておらず、説明および理解の目的のために提供されることが理解される。
【００１７】
本明細書中に記載されている実施形態は、概して、ディスプレイを有するポータブル電子デバイスに関する。ポータブル電子デバイスの例は、モバイルまたはハンドヘルドのワイヤレス通信デバイス（例えば、ページャ、セル式電話、セル式スマートフォン、ワイヤレスオーガナイザ、パーソナルデジタルアシスタント、ワイヤレス能力を有するノートブックコンピュータ等）を含む。
【００１８】
ポータブル電子デバイスは、（ネットワークまたは送受信ステーションを介して、その他のポータブル電子デバイスまたはコンピュータシステムと通信する能力を含む）先進的なデータ通信能力を有する双方向通信デバイスであり得る。ポータブル電子デバイスはまた、音声通信を可能にする能力を有し得る。ポータブル電子デバイスによって提供される機能性に依存して、該ポータブル電子デバイスは、データメッセージングデバイス、双方向ページャ、データメッセージ伝達能力を有するセル式電話、ワイヤレスインターネット機器、またはデータ通信デバイス（電話能力を有するもの、または有していないもの）と称され得る。ポータブル電子デバイスはまた、ワイヤレス通信能力を有していないポータブルデバイス（例えば、ハンドヘルド電子ゲームデバイス、デジタルフォトアルバム、デジタルカメラ等）であり得る。
【００１９】
図１〜図３を参照すると、電子デバイス（本実施形態においては、ポータブル電子デバイス）が番号２０によって示されている。この電子デバイス２０は、ベース２２と、ベース２２に接続され、該ベースに対して移動可能なタッチスクリーンディスプレイ２４を含む。タッチスクリーンディスプレイ２４は、ディスプレイデバイス２６と、該ディスプレイデバイス２６に重なるタッチセンシティブ入力表面２８とを含む。電子デバイス２０は、フィードバック機構３０を含み、フィードバック機構３０は、タッチスクリーンディスプレイ２４の動きを引き起こすタッチセンシティブ入力表面２８への力の適用に応答して作動する、ベース２２に対して移動可能なスイッチ３２を含む。動作コンポーネントが、電子デバイス２０の動作のためにタッチスクリーンディスプレイ２４とベース２２との間に配置される。タッチセンシティブ入力表面２８は、コントローラ３４を介してポータブル電子デバイス２０のプロセッサ４０に接続される。
【００２０】
ここで、図３を参照すると、ポータブル電子デバイス２０の例示的な実施形態のブロック図が、図３に示される。ポータブル電子デバイス２０は、多くのコンポーネント（例えば、ポータブル電子デバイス２０の全体の動作を制御するプロセッサ４０）を含む。データおよび音声通信を含む通信機能は、通信サブシステム４２を介して実行される。ポータブル電子デバイス２０によって受信されるデータは、任意の適切な圧縮解除技術（例えば、ＹＫ圧縮解除およびその他の公知の技術）および暗号化技術（例えば、データ暗号化規格（ＤＥＳ）、トリプルＤＥＳまたはＡｄｖａｎｃｅｄ  Ｅｎｃｒｙｐｔｉｏｎ  Ｓｔａｎｄａｒｄ（ＡＥＳ）等の暗号化技術）に従って動作するデコーダ４４によって圧縮解除および解読され得る。通信サブシステム４２は、ワイヤレスネットワーク１０００からメッセージを受信し、ワイヤレスネットワーク１０００にメッセージを送信する。本ポータブル電子デバイス２０のこの例示的な実施形態において、通信サブシステム４２は、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）およびＧｅｎｅｒａｌ  Ｐａｃｋｅｔ  Ｒａｄｉｏ  Ｓｅｒｖｉｃｅｓ（ＧＰＲＳ）規格に従って構成される。ＧＳＭ／ＧＰＲＳワイヤレスネットワークは世界規模で用いられ、これらの規格はＥｎｈａｎｃｅｄ  Ｄａｔａ  ＧＳＭ  Ｅｎｖｉｒｏｎｍｅｎｔ（ＥＤＧＥ）およびＵｎｉｖｅｒｓａｌ  Ｍｏｂｉｌｅ  Ｔｅｌｅｃｏｍｍｕｎｉｃａｔｉｏｎｓ  Ｓｅｒｖｉｃｅ（ＵＭＴＳ）によって、最終的に取って代わられることが予期される。新たな規格がさらに規定されるが、本明細書に記述されるネットワーク挙動に対する類似性を有することが考えられ、本明細書に記述される実施形態は、将来的に開発される任意の他の適切な規格を用いることが意図されることもまた当業者によって理解されるだろう。通信サブシステム４２とワイヤレスネットワーク１０００とを接続するワイヤレスリンクは、ＧＳＭ／ＧＰＲＳ通信に特有の所定のプロトコルに従って動作する１つ以上の異なる無線周波数（ＲＦ）チャネルを表す。より新しいネットワークプロトコルを用いて、これらのチャネルは、回線交換音声通信とパケット交換データ通信との両方を支持することが可能である。
【００２１】
ポータブル電子デバイス２０に関連付けられるワイヤレスネットワーク１０００は、１つの例示的な実装においてはＧＳＭ／ＧＰＲＳワイヤレスネットワークであるが、他のワイヤレスネットワークもまた、異なる実装において、ポータブル電子デバイス２０と関連付けられ得る。使用され得る種々のタイプのワイヤレスネットワークは、例えば、データセントリック（ｄａｔａ−ｃｅｎｔｒｉｃ）ワイヤレスネットワーク、ボイスセントリック（ｖｏｉｃｅ−ｃｅｎｔｒｉｃ）ワイヤレスネットワーク、および同一の物理的ベースステーションに対して音声通信およびデータ通信の両方をサポートし得るデュアルモードネットワークを含む。組み合わせデュアルモードネットワークは、符号分割多元接続（ＣＤＭＡ）もしくはＣＤＭＡ２０００ネットワーク、（上述のような）ＧＳＭ／ＧＰＲＳネットワーク、ならびにＥＤＧＥおよびＵＭＴＳのような将来の第３世代（３Ｇ）ネットワークを含むが、これらに限定はされない。データセントリックネットワークのその他の例は、ＷｉＦｉ８０２．１１、ＭｏｂｉｔｅｘＴＭおよびＤａｔａＴＡＣＴＭネットワーク通信システムを含む。他のボイスセントリックデータネットワークの例は、ＧＳＭおよび時分割多元接続（ＴＤＭＡ）のようなＰｅｒｓｏｎａｌ  Ｃｏｍｍｕｎｉｃａｔｉｏｎ  Ｓｙｓｔｅｍｓ（ＰＣＳ）ネットワークを含む。プロセッサ４０はまた、例えば、ランダムアクセスメモリ（ＲＡＭ）４６、フラッシュメモリ４８、入力表面２８を有するディスプレイデバイス２６、補助入力／出力（Ｉ／Ｏ）サブシステム５０、データポート５２、スピーカ５４、マイクロフォン５６、短距離通信５８およびその他のデバイスサブシステム６０のような追加のサブシステムとも相互作用する。
【００２２】
ポータブル電子デバイス２０のサブシステムの一部は通信関連機能を実行するが、その他のサブシステムは「常駐の」またはオンデバイスの機能を提供し得る。例として、ディスプレイ２６と入力表面とは、通信関連機能（例えば、ネットワーク１０００を介する伝送のためのテキストメッセージ入力）と、デバイス常駐機能（例えば、計算機またはタスクリスト）との両方に使用され得る。
【００２３】
ネットワーク登録または作動手順が完了した後、ポータブル電子デバイス２０はワイヤレスネットワーク１０００を介して通信信号を送受信し得る。ネットワークアクセスは、ポータブル電子デバイス２０の加入者またはユーザに関連付けられる。本実施形態に従って加入者を識別するために、ポータブル電子デバイス２０は、ネットワークと通信するためにＳＩＭ／ＲＵＩＭインタフェース６４に挿入されるＳＩＭ／ＲＵＩＭカード６２（すなわち、加入者識別モジュールまたは取り外し可能ユーザ識別モジュール）を用いる。ＳＩＭ／ＲＵＩＭカード６２は従来の「スマートカード」の一種であり、特に、ポータブル電子デバイス２０の加入者を識別し、ポータブル電子デバイス２０をパーソナライズ（ｐｅｒｓｏｎａｌｉｚｅ）するために使用され得る。本実施形態において、ポータブル電子デバイス２０は、ＳＩＭ／ＲＵＩＭカード６２なしでは、完全にワイヤレスネットワーク１０００との通信が動作可能ではない。ＳＩＭ／ＲＵＩＭカード６２をＳＩＭ／ＲＵＩＭインタフェース６４に挿入することによって、加入者は加入済みサービス全てにアクセス可能である。サービスは、ウェブブラウジングと、メッセージング（例えば、電子メール、音声メール、ショートメッセージサービス（ＳＭＳ）、マルチメディアメッセージングサービス（ＭＭＳ））とを含み得る。より進んだサービスは、販売時点情報管理、フィールドサービスおよびセールスフォースオートメーションを含み得る。ＳＩＭ／ＲＵＩＭカード６２は、プロセッサと、情報を格納するためのメモリとを含む。いったんＳＩＭ／ＲＵＩＭカード６２がＳＩＭ／ＲＵＩＭインタフェース６４に挿入されると、ＳＩＭ／ＲＵＩＭカード６２はプロセッサ４０に結合される。加入者を識別するために、ＳＩＭ／ＲＵＩＭカード６２は、国際モバイル加入者ＩＤ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：ＩＭＳＩ）のような一部のパラメータを含み得る。ＳＩＭ／ＲＵＩＭカード６２を用いる利点は、任意の単一の物理的なポータブル電子デバイスによって、必ずしも加入者が拘束される必要がないことである。ＳＩＭ／ＲＵＩＭカード６２は、ポータブル電子デバイス２０のための追加の加入者情報も同様に格納し得、該加入者情報はメモ帳（またはカレンダー）情報および最近の呼び出し情報を含む。あるいは、ユーザ識別情報はまたフラッシュメモリ４８にもプログラムされ得る。
【００２４】
ポータブル電子デバイス２０はバッテリ式のデバイスであり、一つ以上の充電可能バッテリ６８を受容するためのバッテリインタフェース６６を含む。少なくとも一部の実施形態において、バッテリ６８は、埋め込みマイクロプロセッサを有するスマートバッテリである。バッテリインタフェース６６は、調整器（図示せず）に結合され、該調整器は電力Ｖ＋をポータブル電子デバイス２０に供給する際にバッテリ６８を補助する。現在の技術はバッテリを利用しているが、マイクロ燃料電池のような将来的な技術が電力をポータブル電子デバイス２０に提供してもよい。
【００２５】
ポータブル電子デバイス２０はまたオペレーティングシステム７０とソフトウェアコンポーネント７２〜８２とを含み、これらは以下により詳細に記述される。オペレーティングシステム７０とソフトウェアコンポーネント７２〜８２とは、プロセッサ４０により実行され、典型的にはフラッシュメモリ４８のような持続性格納装置に格納される。フラッシュメモリ４８は、代替的には読み出し専用メモリ（ＲＯＭ）または同様の格納要素（図示せず）であり得る。当業者は、オペレーティングシステム７０とソフトウェアコンポーネント７２〜８２との一部（例えば、特定のデバイスアプリケーション）またはそれらの部品が、一時的にＲＡＭ４６のような揮発性格納装置にロードされ得ることを認識する。当業者には周知のように、その他のソフトウェアコンポーネントもまた含まれ得る。
【００２６】
データおよび音声通信アプリケーションを含む基本的なデバイスオペレーションを制御するソフトウェアアプリケーション７２のサブセットは、通常、その製造時にポータブル電子デバイス２０上にインストールされる。その他のソフトウェアアプリケーションは、メッセージアプリケーション７４を含み、該メッセージアプリケーション７４は、ポータブル電子デバイス２０のユーザが電子メッセージを送受信することを可能にする任意の適切なソフトウェアプログラムであり得る。当業者に周知のように、種々の代替物がメッセージアプリケーション７４に対して存在する。ユーザによって送受信されたメッセージは、典型的に、ポータブル電子デバイス２０のフラッシュメモリ４８またはポータブル電子デバイス２０の一部のその他の適切な格納要素に格納される。少なくとも一部の実施形態において、送受信されたメッセージの一部は、デバイス２０からリモート（例えば、ポータブル電子デバイス２０が通信する関連するホストシステムのデータ格納装置内等）で格納され得る。
【００２７】
ソフトウェアアプリケーションは、デバイス状態モジュール７６と、個人情報マネージャ（ＰＩＭ）７８と、その他の適切なモジュール（図示せず）とをさらに含み得る。デバイス状態モジュール７６は持続性を提供する。すなわち、重要なデバイスデータがフラッシュメモリ４８のような持続性メモリに格納されることにより、ポータブル電子デバイス２０が電源オフにされたり、または電力を失ったりする場合に、該データが損なわれないことを、デバイス状態モジュール７６は保証する。
【００２８】
ＰＩＭ７８は、限定的ではないが例示として、電子メール、連絡先（ｃｏｎｔａｃｔｓ）、カレンダーイベント、音声メール、アポイントメントおよびタスクアイテムのような、ユーザに関心のあるデータアイテムを編集および管理するための機能性を含む。ＰＩＭアプリケーションは、ワイヤレスネットワーク１０００を介してデータアイテムを送受信する能力を有する。ＰＩＭデータアイテムは、ホストコンピュータシステムに格納され、かつ／または関連付けられるポータブル電子デバイスの加入者の対応するデータアイテムによって、ワイヤレスネットワーク１０００を介して、シームレスに統合、同期およびアップデートされ得る。この機能性は、このようなアイテムに関して、ポータブル電子デバイス２０上にミラーホストコンピュータを生成する。このことは、ホストコンピュータシステムがポータブル電子デバイスの加入者のオフィスのコンピュータシステムである場合に、特に有利であり得る。
【００２９】
ポータブル電子デバイス２０はまた、接続モジュール８０と、情報技術（ＩＴ）ポリシーモジュール８２とを含む。接続モジュール８０は通信プロトコルを実装し、該通信プロトコルはポータブル電子デバイス２０に対して、ポータブル電子デバイス２０がインタフェースすることを許可される、ワイヤレスインフラストラクチャおよび任意のホストシステム（例えば、企業のシステム）と通信することを必要とする。
【００３０】
接続モジュール８０は、ポータブル電子デバイス２０に組み込まれ得る１組のＡＰＩを含むことにより、ポータブル電子デバイス２０が、企業のシステムと関連付けられた任意の数のサービスを使用することを可能にする。接続モジュール８０は、ポータブル電子デバイス２０が終端間セキュア（ｅｎｄ−ｔｏ−ｅｎｄ  ｓｅｃｕｒｅ）を確立することを可能にし、ホストシステムとの通信パイプが認証される。接続モジュール８０によってアクセスが提供されるアプリケーションのサブセットが、ＩＴポリシーコマンドをホストシステムからポータブル電子デバイス２０まで渡すために用いられ得る。これはワイヤレス方式または有線方式なされ得る。あるいは、一部の場合において、ＩＴポリシーアップデートがまた有線接続を介してなされ得る。
【００３１】
その他のタイプのソフトウェアアプリケーションがポータブル電子デバイス２０上にインストールされ得る。これらのソフトウェアアプリケーションはサードパーティアプリケーションであり得、これらはポータブル電子デバイス２０の製造後に追加される。サードパーティアプリケーションの例は、ゲーム、計算機、ユーティリティ等を含む。
【００３２】
追加のアプリケーションは、ワイヤレスネットワーク１０００、補助Ｉ／Ｏサブシステム５０、データポート５２、短距離通信サブシステム５８または任意の他の適切なデバイスサブシステム６０のうちの少なくとも１つを介してポータブル電子デバイス２０上にロードされ得る。アプリケーションインストールにおける、この柔軟性がポータブル電子デバイス２０の機能性を増加させ、向上したオンデバイス機能、通信関連機能またはそれら両方を提供し得る。例えば、セキュアな通信アプリケーションは電子商取引機能およびその他のこのような金融取引が、ポータブル電子デバイス２０を用いて実行されることを可能にし得る。
【００３３】
データポート５２は、加入者が外部のデバイスまたはソフトウェアアプリケーションを介してプリファランス（ｐｒｅｆｅｒｅｎｃｅ）を設定することを可能にし、ワイヤレス通信ネットワーク以外を介して、ポータブル電子デバイス２０に情報またはソフトウェアダウンロードを提供することによって、ポータブル電子デバイス２０の能力を拡張する。代替的なダウンロード経路が、例えば、直接の接続（それゆえに信頼性があり信用のある接続）を介して、ポータブル電子デバイス２０上に暗号キーをロードするために使用され得、セキュアなデバイス通信を提供する。
【００３４】
データポート５２は任意の適切なポートであり得、該ポートはポータブル電子デバイス２０と別の計算デバイスとの間のデータ通信を可能にする。データポート５２は、シリアルポートまたはパラレルポートであり得る。一部の例において、データポート５２はＵＳＢポートであり得、データ伝送のためのデータラインと、ポータブル電子デバイス２０のバッテリ６８を充電するために充電電流を提供し得る供給ラインとを含む。
【００３５】
短距離通信サブシステム５８は、ワイヤレスネットワーク１０００を用いることなしに、ポータブル電子デバイス２０と異なるシステムまたはデバイスとの間の通信を提供する。例えば、サブシステム５８は、赤外線デバイスと、短距離通信のための関連回路およびコンポーネントとを含み得る。短距離通信規格の例は、赤外線データ通信標準化団体（ＩｒＤＡ）によって開発された規格と、Ｂｌｕｅｔｏｏｔｈと、ＩＥＥＥによって開発された８０２．１１規格群とを含む。
【００３６】
使用時、テキストメッセージ、電子メールメッセージまたはウェブページダウンロードのような受信された信号は通信サブシステム４２によって処理され、プロセッサ４０に入力される。次いで、プロセッサ４０は、ディスプレイ２６あるいは補助Ｉ／Ｏサブシステム５０への出力のために、受信された信号を処理する。加入者はまた、例えば、入力表面２８を、コントローラ３４、ディスプレイ２６および可能性としては補助Ｉ／Ｏサブシステム５０と関連させて用いることによって、データアイテム（例えば、電子メールメッセージ）を構成し得る。タッチセンシティブ入力表面２８上のタッチの位置が、タッチスクリーンディスプレイ３４上のタッチの位置を決定するために、コントローラ３４を介してメインプロセッサ４０と通信することが認識される。補助サブシステム５０は、マウス、トラックボール、赤外線指紋検出器または動的ボタン押圧能力を有するローラホイール等のデバイスを含む。英数字キーボードおよび／または電話型キーパッドのようなキーボードも提供され得る。構成されたアイテムは、通信サブシステム４２によってワイヤレスネットワーク１０００を介して伝送され得る。
【００３７】
音声通信に対して、ポータブル電子デバイス２０の動作全体は実質的に同一であるが、受信される信号がスピーカ５４に出力され、伝送のための信号がマイクロフォン５６によって生成されることが異なっている。代替的な音声またはオーディオＩ／Ｏサブシステム（例えば、音声メッセージ記録サブシステム）がまた、ポータブル電子デバイス２０上に実装され得る。音声またはオーディオ信号出力は、スピーカ５４を介して一次的に達成されるが、ディスプレイデバイス２６もまた、追加の情報（例えば、通話相手の識別、音声コールの持続時間またはその他の音声コールに関連する情報）を提供するために使用され得る。
【００３８】
再び、図１および図２を参照して、ベース２２は筐体８４の一部であり、該筐体８４はまたベース２２から間隔を空けられ、タッチスクリーンデバイスを囲むフレーム８６を含む。側壁８８がベース２２とフレーム８６との間に延びる。本例示的な実施形態に従うと、側壁８８は概してベース２２とフレーム８６とに対して垂直である。ベース２２は、プレート（図示せず）を含み、該プレートは、例えば、上述のバッテリ６８およびＳＩＭ／ＲＵＩＭカード６２の挿入および取り外しのために、取り外し可能に取り付けられる。ベース２２、側壁８８およびフレーム８６は、例えば、射出成形され得ることが認識される。フレーム８６は、ウィンドウを囲むようにサイズおよび形状が決定され、タッチスクリーンディスプレイ２４の入力表面２８とのユーザ接触による入力のため、およびディスプレイデバイス２６上の出力を表示するために、該ウィンドウにおいてタッチスクリーンディスプレイ２４が露出される。タッチスクリーンディスプレイ２４は、図２に示されるようにフレーム８６に向けてバイアスされ、フレーム８６はタッチスクリーン２４を筐体８４内に維持する。従って、タッチスクリーンディスプレイ２４は、筐体内で移動可能であり、該筐体内に制限される。タッチスクリーンディスプレイ２４のエッジは、エッジを囲むエッジサポートによって支持され得ることが意図される。図１に示される実施形態に従うと、フレーム８６は、概して長方形であるが、他の形状も可能である。例えば、フレーム８６の角は丸みを帯び得る。
【００３９】
タッチスクリーンディスプレイ２４は剛性のディスプレイサポート８９によって支持され、タッチスクリーンディスプレイ２４に構造的なサポートを提供し、かつタッチスクリーンディスプレイ２４に損傷を引き起こしたり、該ディスプレイ２４を破壊したりする屈曲を防ぐ。ディスプレイサポート８９は任意の適切な材料から形成され得、プリント回路基板のようなさらなる機能コンポーネントを含み得る。タッチスクリーンディスプレイ２４が、ＬＣＤディスプレイデバイス２６に重なるタッチセンシティブ入力表面２８（本明細書においては入力表面２８ともいう）を含むコンポーネントと、バックライト（図示せず）のようなオプションのコンポーネントを含むその他のコンポーネントとのアセンブリであることが認識される。
【００４０】
上述のように、ポータブル電子デバイス２０はフィードバック機構３０を含み、該フィードバック機構３０は、スイッチ３２と、タッチスクリーンディスプレイ２４の入力表面２８上へのユーザによる押圧によって、力が加えられるとき、ポータブル電子デバイス２０のユーザに触覚フィードバックを提供するためのその他のコンポーネントとを含む。本実施形態に従うと、スイッチ３２は機械的なドームタイプスイッチ３２であり、図２に押圧されていない状態、すなわち作動していない状態で示されるが、スイッチ３２は任意の適切な機械的スイッチであり得る。スイッチ３２は、スイッチプラットフォーム９０上に配置され、該プラットフォーム９０は、ベース２２からタッチスクリーンディスプレイ２４の方向に移動可能である。従って、スイッチ３２もまた、スイッチプラットフォーム９０とともに、タッチスクリーンディスプレイ２４に向けて移動可能である。４つのレバーアーム９２の各々は、スイッチ３２が配置されるスイッチプラットフォーム９０の下側から、タッチスクリーンディスプレイ２４のそれぞれの角に向けて延びる。レバーアーム９２の各々は、それぞれのピボット９４によって提供されるそれぞれの支点の周囲で旋回可能であり、図２に示されるように、該ピボット９４は三角形の断面を有し、ベース２２とそれぞれのレバーアーム９２との間に配置される。従って、各ピボット９４は、その対向する端部の間でそれぞれのレバーアーム９２の一方の側に接触する。レバーアーム９２は、タッチスクリーンディスプレイ２４に力が加えられていないときにベースに接して支える（ｒｅｓｔ）ために、スイッチプラットフォームの近位にレスト表面９６を提供するように形作られ、タッチスクリーンディスプレイ２４がベース２２の方向に変位するとき、突起９８が、ディスプレイサポート８９に接するために提供される。停止部９９は、ベース２２から、レバーアーム９２の端部近くまで延び、レバーアーム９２およびタッチスクリーンディスプレイ２４のベース２２への変位を制限する。停止部９９は、図面に示される正方形形状の停止部には限定されず、任意の適切な形式を取り得る。ピボット９４は、図２に示されるような支え位置と、図４の右側においてレバーアーム９２Ａによって最良に示される旋回位置との間で旋回するために、レスト表面９６と突起９８との間に位置する。それぞれバイアス要素１００は、タッチスクリーンディスプレイ２４をフレーム８６へのバイアスするためのディスプレイサポート８９と突起９８との間に延び、これらに接続される。
【００４１】
各レバーアーム９２は、それぞれのピボット９４によって提供される支点の周囲で旋回可能であり、スイッチプラットフォーム９０およびスイッチ３２の、ベース２２とタッチスクリーンディスプレイ２４との間の動きを引き起こすことがここで認識される。スイッチ３２をベース２２から離れてタッチスクリーンディスプレイ２４へ動かすために、それぞれのレバーアーム９２の長さに沿った各ピボット９４の位置が性能を最適化するために選択されることも認識される。従って、タッチスクリーンディスプレイ２４上へのユーザの押圧によって加えられた力によるタッチスクリーンディスプレイ２４の変位は、タッチスクリーンディスプレイ２４の突起９８への接触を引き起こす。タッチセンシティブ入力表面２８上へのユーザの押圧によるタッチスクリーンディスプレイ２４の角の近くへの力の適用は、角のうちの１つの近位で、タッチスクリーンディスプレイ２４の旋回を引き起こし、その結果、力が加えられる角がそれぞれの突起９８に向けて動き、突起９８に隣接することでレバーアーム９２の旋回を引き起こす。レバーアーム９２の旋回は、スイッチプラットフォーム９０およびスイッチ３２のベース２２から離れてタッチスクリーンディスプレイ２４への変位を生じさせ、ディスプレイサポート８９の圧縮の結果としてスイッチ３２を作動させる。ベース２２の方向へのタッチスクリーンディスプレイ２４の変位の範囲は停止部９９によって制限される。タッチセンシティブ入力表面２８上へのユーザの押圧によるタッチスクリーンディスプレイ２４の中心近くへの力の適用は、その中心の近位で、タッチスクリーンディスプレイ２４の突起９８への変位を引き起こす。本実施形態に従うと、タッチスクリーンディスプレイ２４の中心に力が直接的に加えられると、タッチスクリーンディスプレイ２４が変位され、レバーアームの旋回なしにスイッチ３２の作動を引き起こす。なぜならば、タッチスクリーンディスプレイ２４がベース２２の方向に変位して、バイアス要素１００の圧縮を引き起こし、突起９８と隣接させるからである。
【００４２】
図３を参照して上記されたプロセッサ４０とその他のコンポーネントとを含むコンポーネントが筐体８４に収容され、ポータブル電子デバイス２０の機能性を提供する。
【００４３】
上述のように、タッチスクリーンディスプレイ２４は、ディスプレイデバイス２６と、該ディスプレイデバイス２６に重なるタッチセンシティブ入力表面２８とを含み、ユーザ入力のためのグラフィカルユーザインタフェースを提供する。ユーザがタッチスクリーンディスプレイ２４に触れるか、またはタッチスクリーンディスプレイ２４に沿って指をスライドさせると、タッチスクリーンディスプレイ２４は信号を生成し、プロセッサ４０においてコマンドの開始を生じさせる。タッチスクリーンディスプレイ２４はユーザ相互作用のためにグラフィカルユーザインタフェースを提供する。従って、ディスプレイデバイス２６はグラフィカル表現を提供し、該グラフィカル表現はタッチスクリーンディスプレイ２４のタッチセンシティブ入力表面２８を用いるユーザ相互作用によって選択可能または操作可能である。
【００４４】
スイッチ３２は、タッチスクリーンディスプレイ２４の入力表面２８の押圧によって十分な力のユーザの適用によるスイッチ３２の作動としてさらなる入力を提供し得、プロセッサ４０へのさらなる信号入力を生成し得る。さらなる信号は、単独で、またはスイッチ３２からの信号とタッチセンシティブ入力表面２８からの信号との組み合わせのいずれかで、プロセッサ４０においてコマンドの開始を引き起こし得る。従って、プロセッサ４０において開始されるコマンドは、タッチセンシティブ入力表面２８からの信号の結果であるか、またはタッチセンシティブ入力表面２８からの信号とユーザ相互作用によって引き起こされるスイッチ３２からの信号との組み合わせの結果であり得る。例えば、ユーザ相互作用は、タッチスクリーンディスプレイ２４へのユーザの接触か、またはタッチスクリーンディスプレイ２４に沿ったユーザの指のスライドであり得る。タッチスクリーンディスプレイ２４に沿った、指の異なるスライド動作はまた、プロセッサ４０において開始される異なるコマンドを生じ得る。
【００４５】
ポータブル電子デバイス２０のユーザがコマンドを、スイッチ３２の作動なしに、タッチスクリーンディスプレイ２４とのユーザ相互作用によってデバイスのプロセッサ４０において開始させることが意図される。例えば、ユーザは、タッチスクリーンディスプレイに触れるか、またはタッチスクリーンディスプレイに沿って指をスライドさせて、スイッチ３２の押下を引き起こすために、タッチスクリーンディスプレイ２４を変位させるために十分な力を加えることなしに、信号の生成とコマンドの開始とを引き起こし得る。
【００４６】
ここで図４と図５とを参照して、ポータブル電子デバイス２０の筐体８４内でのタッチスクリーンディスプレイ２４の動きを記述する。まず図４を参照すると、一実施形態に従う、ポータブル電子デバイス２０の簡略化された側面断面図が示され、該実施形態において、例えば、タッチスクリーンディスプレイ２４のタッチセンシティブ入力表面２８上での、ユーザの指の押圧によって矢印「Ａ」の方向へ力が加えられる。示されるように、ユーザが、ポータブル電子デバイス２０の一方の近位側でタッチスクリーンディスプレイ２４上を押し、タッチスクリーンディスプレイ２４の旋回を生じさせ、その結果、力がタッチスクリーンディスプレイ２４に加えられているポータブル電子デバイス２０の同じ側にあるバイアス要素１００が圧縮される。図面から、力がタッチスクリーンディスプレイ２４上に加えられているとき、タッチスクリーンディスプレイ２４はフレーム８６の下側に接して、ポータブル電子デバイス２０の反対側のエッジで旋回することが認識される。図４の例において、右側のバイアス要素１００は圧縮され、タッチスクリーンディスプレイ２４は突起９８Ａと隣接し、レバーアーム９２が停止部９９Ａに隣接するまでレバーアーム９２Ａの旋回を引き起こす。
【００４７】
ポータブル電子デバイス２０の右側のレバーアーム９２Ａの旋回によって、スイッチプラットフォーム９０およびスイッチ３２がレバーアーム９２Ａによって変位し、スイッチ３２の作動を引き起こす。
【００４８】
ここで図５の例に対して参照がなされ、図５の例において、タッチスクリーンディスプレイ２４のほぼ中心において、タッチセンシティブ入力表面２８上へ指を矢印「Ｂ」の方向にユーザが押圧することにより力が加えられる。示されるように、ユーザはタッチスクリーンディスプレイ２４上で押圧し、タッチスクリーンディスプレイ２４のベース２２への変位を引き起こし、その結果、すべてのバイアス要素１００が圧縮される。図面から、タッチスクリーンディスプレイ２４がベース２２に向けて変位するが、ベース２２との概して平行なアラインメントが維持されることが認識される。従って、タッチスクリーンディスプレイ２４は、複数の突起９８のそれぞれと隣接し、スイッチ３２を作動させる。
【００４９】
本例において、力がタッチスクリーンディスプレイの中心近くに加えられ、結果生じるタッチスクリーンディスプレイ２４の変位が、タッチスクリーンディスプレイ２４はスイッチが作動されるとき突起９８に隣接するので、任意のレバーアーム９２の旋回なしに、それゆえベース２２へのスイッチ３２の動きなしにスイッチ３２の作動を引き起こす。
【００５０】
引き続き、説明のために、図２、図４および図５に対して参照がなされる。図２において、タッチスクリーンディスプレイ２４の入力表面２８に力は加えられず、それゆえタッチスクリーンディスプレイ２４はレスト位置にあり、該位置においてタッチスクリーンディスプレイ２４はフレーム８６へバイアスされる。タッチスクリーンディスプレイ２４とスイッチ３２との互いに対する距離「ｄ」の相対変位がスイッチ３２の作動を生じさせる。本実施形態において、タッチスクリーンディスプレイ２４は、タッチスクリーンディスプレイ２４の任意の角の近位を類似の距離「ｄ」変位させ、それぞれの突起９８を接触させる。ここで図５を参照すると、タッチスクリーンディスプレイの中心に加えられる力「Ｂ」は、それぞれの角において、「ｄ」の距離、中心において類似の「ｄ」の距離の、タッチスクリーンディスプレイ２４の変位を生じさせる。従って、タッチスクリーンディスプレイ２４は、レバーアーム９２の旋回なしに、スイッチ３２の作動を生じさせる。しかしながら、図４において、力「Ａ」はタッチスクリーンディスプレイ２４の一方の側に加えられる。従って、上述のように、タッチスクリーンディスプレイ２４は、力が加えられている側と反対側で、フレーム８６の下側に対して旋回する。図４に示される図において、力が加えられるタッチスクリーンディスプレイ２４の右側は、「ｄ」の距離分変位して、突起９８Ａを接触させる。しかし、タッチスクリーンディスプレイ２４の左側における変位は無視できる。タッチスクリーンディスプレイ２４がポータブル電子デバイス２０の右側で突起９８と接触しているとき、タッチスクリーンディスプレイ２４の中心における変位が約１／２「ｄ」であることが認識される。レバーアーム９２Ａは、タッチスクリーンディスプレイ２４のさらなる変位を可能にする一方で、スイッチプラットフォーム９０とスイッチ３２とは、レバーアーム９２Ａが停止部９９Ａと接触するまでベース２２から離れる。従って、スイッチ３２のタッチスクリーンディスプレイの中心に向かうものと、タッチスクリーンディスプレイ２４の中心のスイッチ３２に向かうものとの、全体の相対的な動きは「ｄ」であり、スイッチ３２を作動させる。さらに、ピボット９４の位置がフィードバック機構３０の適切な性能のために選択され得ることと、ピボット９４がそれぞれのレバーアーム９２に沿って中心に位置することが必要とされないこととが認識される。
【００５１】
図６、図７および図８に対する参照がなされ、別の実施形態に従ってポータブル電子デバイス２０を記述する。本実施形態の特徴の多くは、上述のものと類似しており、それゆえ本明細書にはさらには記述されない。しかし、本実施形態のフィードバック機構３０は、上述のフィードバック機構とは異なる。さらに、ポータブル電子デバイス２０はフィードバック機構３０を含み、該フィードバック機構３０は、本実施形態において、タッチスクリーンディスプレイ２４のタッチセンシティブ入力表面２８上へのユーザの押圧によって力を加えるとき、ポータブル電子デバイス２０のユーザに触覚フィードバックを提供するために、スイッチ３２とその他のコンポーネントとを含む。本実施形態に従って、スイッチ３２は機械的なドームタイプスイッチ３２であり、図６に圧縮されていない、すなわち作動されていない状態において示される。スイッチ３２はドームタイプスイッチ３２に限定されず、任意の適切な機械的スイッチであり得る。スイッチ３２は、スイッチプラットフォーム９０上に配置され、これはベース２２から離れてタッチスクリーンディスプレイ２４の方向に移動可能である。従って、スイッチ３２はまた、スイッチプラットフォーム９０と共に、タッチスクリーンディスプレイ２４に向けて移動可能である。４つのレバーアーム９２の各々は、スイッチ３２が配置されている側と反対側にあるスイッチプラットフォーム９０の側から、タッチスクリーンディスプレイ２４のそれぞれの角に向けて延びる。複数のレバーアーム９２の各々は、図６に示されるように、三角形の断面を有し、ベース２２とそれぞれのレバーアーム９２との間に配置される、それぞれのピボット９４によって提供されるそれぞれの支点の周囲で旋回可能である。レバーアーム９２はまた三角形の断面のピボット９４ではなく、ピボットピンの周囲で旋回可能であり得ることが認識される。レバーアーム９２は、タッチスクリーンディスプレイ２４に力が加えられないときにベース２２に接して支えるために、スイッチプラットフォーム９０の近くにレスト表面９６を提供するようにそれぞれ形状が決定される。本実施形態において、最初に記述された実施形態におけるような突起が提供されない。代わりに、フォームバイアス要素の形式で、それぞれのバイアス要素１０２は、各レバーアーム９２とタッチスクリーンディスプレイ２４のディスプレイサポート８９との間に配置され、タッチスクリーンディスプレイ２４が支え位置にあり、入力表面２８へ加えられる力がないとき、それぞれのレバーアーム９２とディスプレイサポート８９との両方に接触する。バイアス要素はフォームバイアス要素であるように記述されるが、任意の適切なバイアス要素が使用され得る。
【００５２】
示されるように、ピボット９４は、図６に示されるような支え位置と、図７の左側においてレバーアーム９２によって最良に示されるような旋回位置との間で旋回するために、レスト表面９６とバイアス要素１０２との間に位置する。さらに、停止部９９はベース２２とレバーアーム９２との間に提供され、レバーアーム９２およびタッチスクリーンディスプレイ２４のベース２２への変位を制限する。停止部９９は図面に示される停止部に制限されず、任意の適切な形式であり得る。本実施形態において、バイアス要素はそれぞれのレバーアーム９２に接続され、タッチスクリーンディスプレイ２４をフレーム８６に向けてバイアスさせる。
【００５３】
さらに、各レバーアーム９２は、それぞれのピボット９４によって提供される支点の周囲で旋回可能であり、スイッチプラットフォーム９０およびスイッチ３２の、ベース２２とタッチスクリーンディスプレイ２４との間の動きを引き起こすことが認識される。従って、タッチスクリーンディスプレイ上へのユーザの押圧によって加えられる力による、タッチスクリーンディスプレイ２４の変位により、タッチスクリーンディスプレイ２４がバイアス要素１０２を圧縮する。タッチセンシティブ入力表面２８上でのユーザの押圧によるタッチスクリーンディスプレイ２４の角近くへの力の適用は、角のうちの１つの近位に、タッチスクリーンディスプレイ２４の旋回を引き起こし、その結果力が加えられる角がベース２２に向けて動かされ、それぞれのバイアス要素１０２を圧縮し、それぞれのレバーアーム９２がそれぞれの停止部９２に隣接するまで、それぞれのレバーアーム９２を旋回させる。レバーアーム９２の旋回は、ベースから離れてタッチスクリーンディスプレイ２４に向かうスイッチプラットフォーム９０およびスイッチ３２の変位を生じさせ、ディスプレイサポート８９に対する圧縮の結果としてスイッチ３２を作動させる。タッチセンシティブ入力表面２８上でのユーザの押圧によるタッチスクリーンディスプレイ２４の中心近くへの力の適用は、その中心近位で、タッチスクリーンディスプレイ２４の変位と、バイアス要素１０２全ての圧縮とを引き起こす。本実施形態に従って、タッチスクリーンディスプレイ２４の中心に力が直接的に加えられるとき、タッチスクリーンディスプレイ２４が変位し、その結果スイッチ３２の作動をもたらす。
【００５４】
引き続き図７および図８に対して参照がなされ、ポータブル電子デバイス２０の筐体８４内でのタッチスクリーンディスプレイ２４の動きを記述する。まず図７を参照すると、例示的な実施形態に従うポータブル電子デバイス２０の簡略化された側面断面図が示され、該図においては、例えば、タッチスクリーンディスプレイ２４のタッチセンシティブ入力表面上でユーザが指を押圧することにより、力が矢印「Ｃ」の方向に加えられる。示されるように、ユーザがポータブル電子デバイス２０の１つの側の近位でタッチスクリーンディスプレイ２４を押圧し、タッチスクリーンディスプレイ２４の旋回を生じさせ、その結果タッチスクリーンディスプレイ２４はポータブル電子デバイス２０の反対側のエッジに沿って、フレーム８６の下側に対して旋回する。図７の例において、タッチスクリーンディスプレイ２４は旋回し、レバーアーム９２Ｂの旋回を引き起こし、停止部９９Ｂと隣接する。ポータブル電子デバイス２０の左側のレバーアーム９２Ｂの旋回によって、スイッチプラットフォーム９０およびスイッチ３２は、レバーアーム９２Ｂによって、ディスプレイサポート８９へ変位して、スイッチ３２の作動を引き起こす。
【００５５】
ここで図８の例に対して参照がなされ、図８において、例えば、タッチセンシティブ入力表面２８上で、タッチスクリーンディスプレイ２４のほぼ中心に、ユーザが指を押圧することによって、力が矢印「Ｄ」の方向に加えられる。示されるようにタッチスクリーンディスプレイ２４上をユーザが押圧し、タッチスクリーンディスプレイ２４のベース２２への変位を引き起こし、その結果全てのバイアス要素１０２は圧縮される。図面から、タッチスクリーンディスプレイ２４はベース２２に対して変位するが、ベース２２との概して平行のアラインメントを維持することが認識される。タッチスクリーンディスプレイ２４の変位はバイアス要素１０２の全ての圧縮とスイッチの作動とを引き起こす。本例において、タッチスクリーンディスプレイ２４は、バイアス要素１０２の圧縮を引き起こし、スイッチの作動後、レバーアーム９２を屈曲させて停止部９９に接触させる。従って、タッチスクリーンディスプレイ２４は、力がタッチスクリーンディスプレイ２４の側の近くに加えられるときの側における変位の距離と比べると、力が中心に加えられるときに中心においてほぼ同一の距離で変位する。
【００５６】
図６において、タッチスクリーンディスプレイ２４の入力表面２８に力が加えられず、それゆえタッチスクリーンディスプレイ２４は支え位置にあり、該位置においてタッチスクリーンディスプレイ２４はフレーム８６に向けてバイアスされる。タッチスクリーンディスプレイ２４とスイッチ３２との、互いに対して距離「ｄ」の相対的な変位がスイッチ３２の作動を生じさせる。本実施形態において、タッチスクリーンディスプレイ２４は、すでにバイアス要素１０２と接触している。ここで図８を参照すると、タッチスクリーンディスプレイの中心に加えられる力「Ｄ」は、それぞれの角において「ｄ」の距離のタッチスクリーンディスプレイ２４の変位を生じさせ、バイアス要素１０２が圧縮されるので中心において同様に「ｄ」の距離の変位を生じさせる。あるいは、バイアス要素１０２が圧縮され、レバーアーム９２が屈曲される。従って、スイッチ３２の作動後、タッチスクリーンディスプレイ２４はさらに総変位「ｄ」変位する。しかし、図７において、力「Ｃ」がタッチスクリーンディスプレイ２４の一方の側に加えられる。従って、タッチスクリーンディスプレイ２４は、上述のように、力が加えられている側とは反対側でフレーム８６の下側に接して旋回する。図７に示される図において、力が加えられるタッチスクリーンディスプレイ２４の左側は、「ｄ」の距離分変位して、レバーアーム９２Ｂを旋回させ、スイッチ３２をベース２２から離れてタッチスクリーンディスプレイ２４に向かうように変位させる。従って、タッチスクリーンディスプレイ２４の中心は約１／２「ｄ」変位して、スイッチ３２は約１／２「ｄ」変位する。スイッチ３２のタッチスクリーンディスプレイの中心へのものと、タッチスクリーンディスプレイ２４の中心のスイッチへのものの全相対的動作は「ｄ」であり、スイッチ３２を作動させる。また、ピボット９４の位置が最良の性能のために決定され得ることと、ピボット９４がそれぞれのレバーアーム９２に沿って中心に位置する必要がないこととが認識される。
【００５７】
ここで図９〜図１１に対して参照がなされ、さらに別の実施形態に従った電子デバイスを記述する。本実施形態の特徴の多くは、前述の実施形態に特徴と類似しており、それゆえ本明細書にはさらには記述されない。しかし、本実施形態のフィードバック機構３０は、上述のフィードバック機構とは異なる。さらに、ポータブル電子デバイス２０はフィードバック機構３０を含み、該フィードバック機構は、本実施形態において、タッチスクリーンディスプレイ２４の入力表面２８へのユーザの押圧によって力が加えられるとき、ポータブル電子デバイス２０のユーザに触覚フィードバックを提供するためのスイッチ３２とその他のコンポーネントを含む。例えば、スイッチ３２は機械的なドームタイプスイッチ３２であり得、図９に圧縮されていない、すなわち作動されていない状態で示される。スイッチ３２は、タッチスクリーンディスプレイ２４の方向に、ベース２２から離れて移動可能である。本例示的な実施形態において、２つのレバーアーム９２（これらのレバーアーム９２はスイッチ３２とベース２２との間に位置する）がスイッチ３２の下側から、タッチスクリーンディスプレイ２４のそれぞれの側に向かって延びる。複数のレバーアーム９２の各々は、図９に示されるように、レバーアーム９２の端部の間に位置するそれぞれのピボットピン１０４の周囲で旋回可能である。ピボットピン１０４の位置は、フィードバック機構３０の適切な動作を提供するように選択され得る。レバーアーム９２は、それぞれ、その端部上にそれぞれのサポート表面１０６を提供するように形作られ、サポート表面１０６上にスイッチが配置される。それぞれのサポート表面１０６は、タッチスクリーンディスプレイ２４に力が加えられないとき、ベース２２に接して支える。図１０を参照すると、サポート表面１０６の上面図が示される。各サポート表面１０６はフィンガ１０８を含み、該フィンガは他のサポート表面１０６のフィンガ１０８の間に交錯され、スイッチ３２の変位のためにスイッチ３２を支持する。本実施形態において、各レバーアーム９２は、サポート表面を有する端部と逆の端部上に突起９８を提供するように形作られる。タッチスクリーンディスプレイが支え位置にあり、入力表面２８に加えられる力がないとき、突起はタッチスクリーンディスプレイ２４から離れている。さらに、停止部９９が、ベースから複数のレバーアーム９２のそれぞれの端部近くまで延び、レバーアーム９２とタッチスクリーンディスプレイ２４との変位を制限する。
【００５８】
各レバーアーム９２はそれぞれのピボットピン１０４の周囲で旋回可能であり、ベース２２とタッチスクリーン２４との間のスイッチ３２の移動を引き起こすことが認識される。従って、ユーザのタッチスクリーンディスプレイ上への押圧によって加えられる力に起因するタッチスクリーンディスプレイ２４の変位は、タッチスクリーンディスプレイ２４を２つの突起９８のうちの少なくとも１つに接触させる。タッチセンシティブ入力表面２８へのユーザの押圧によるタッチスクリーンディスプレイ２４の一方の側への力の適用は、タッチスクリーンディスプレイ２４の旋回を引き起こし、その結果力が加えられている側がベースに向かって動かされ、それぞれの突起９８と接触し、それぞれのレバーアーム９２の旋回を引き起こす。レバーアーム９２の旋回は、それぞれのサポート表面１０６の変位を、従ってベース２２から離れ、タッチスクリーンディスプレイ２４に向かうスイッチ３２の変位を、生じさせ、ディスプレイサポート８９への圧縮の結果としてスイッチ３２を作動させる。タッチセンシティブ入力表面２８上へのユーザの押圧による、タッチスクリーンディスプレイ２４の中心近くへの力の適用は、その中心近位に、タッチスクリーンディスプレイ２４の変位を引き起こし、突起９８と接触させ、スイッチ３２の作動を生じさせる。
【００５９】
引き続き図１１に参照がなされ、ポータブル電子デバイス２０の筐体８４内でのタッチスクリーンディスプレイ２４の動きを記述する。図１１は、例示的な実施形態に従ったポータブル電子デバイス２０の簡略化された側面断面図を示し、該実施形態において、例えば、タッチスクリーンディスプレイ２４のタッチセンシティブ入力表面２８上へユーザが指を押圧することによって、力が矢印「Ｅ」の方向に加えられる。示されるように、ユーザはポータブル電子デバイス２０の１つの側の近位でタッチスクリーンディスプレイ２４を押圧し、タッチスクリーンディスプレイ２４の旋回を生じさせ、その結果ディスプレイサポート８９は、力が加えられている、タッチスクリーンディスプレイ２４の同一側において、レバーアーム９２の端部上の突起９８に接触する。図面から、力がタッチスクリーンディスプレイ２４上に加えられるとき、タッチスクリーンディスプレイ２４はフレーム８６の下側に対して、ポータブル電子デバイス２０の反対側のエッジに沿って旋回することが認識される。図１１の例において、タッチスクリーンディスプレイ２４は、タッチスクリーンディスプレイ２４の右側に加えられる力「Ｅ」の結果として右側の突起９８と接触し、それぞれのレバーアーム９２の旋回を引き起こす。ポータブル電子デバイス２０の右側のレバーアーム９２の旋回によって、スイッチ３２は、それぞれのレバーアーム９２のサポート表面１０６によって、ベース２２から離れて、ディスプレイサポート８９に向けて変位し、スイッチ３２の作動を引き起こす。
【００６０】
本実施形態のタッチスクリーンディスプレイ２４の中心近くに力が加えられると、タッチスクリーンディスプレイ２４は突起９８と接触するように変位して、スイッチ３２の作動後にレバーアーム９２の屈曲を引き起こし、その結果両方のレバーアーム９２が停止部９９と隣接する。
【００６１】
図９において、タッチスクリーンディスプレイ２４の入力表面２８に力が加えられておらず、それゆえタッチスクリーンディスプレイ２４は支え位置にあり、該位置においてタッチスクリーンディスプレイ２４はバイアス要素（図示せず）によってフレーム８６の法にバイアスされる。タッチスクリーンディスプレイ２４およびスイッチ３２の、互いに対する距離「ｄ」の相対変位がスイッチ３２の作動を生じさせる。本実施形態において、タッチスクリーンディスプレイ２４は、スイッチ３２の作動前に突起９８と接触する。タッチスクリーンディスプレイ２４のベース２２に向かうさらなる変位がレバーアーム（または複数のレバーアーム９２）の旋回を引き起こす。タッチスクリーンディスプレイ２４の中心に力が加えられているとき、タッチスクリーンディスプレイ２４は突起９８と接触させ、レバーアーム９２を屈曲させるので、各側において、「ｄ」の距離変位し、タッチスクリーンディスプレイ２４の中心において同様に「ｄ」変位する。従って、スイッチ３２の作動後に「ｄ」の全変位になるまで、タッチスクリーンディスプレイ２４は変位する。しかし、図１１において、力「Ｅ」がタッチスクリーンディスプレイ２４の一方の側に加えられる。従って、タッチスクリーンディスプレイ２４は、上述されるように、力が加えられる側と反対側のフレーム８６の下側に対して旋回する。図１１に示される図面において、力が加えられるタッチスクリーンディスプレイ２４の右側は「ｄ」の距離分変位させ、右側のレバーアーム９２を旋回させ、スイッチ３２をベース２２から離れてタッチスクリーンディスプレイ２４に向かうように変位する。従って、タッチスクリーンディスプレイ２４の中心は約１／２「ｄ」変位して、スイッチ３２は約１／２「ｄ」変位する。スイッチ３２のタッチスクリーンディスプレイの中心へ向かうものと、タッチスクリーンディスプレイ２４の中心のスイッチ３２へ向かう全相対的移動は「ｄ」であり、スイッチ３２を作動させる。再び、ピボットピン１０４の位置が最良の性能のために決定され得ることと、ピボットピン１０４がそれぞれのレバーアーム９２に沿って中心に位置することを必要とされないこととが認識される。
【００６２】
ここで図１２および図１３に対して参照がなされ、さらに別の実施形態に従う電子デバイスを記述する。本実施形態の特徴の多くは、前述の実施形態の特徴と類似しており、それゆえ、本明細書にはさらに記述されない。しかし、本実施形態のフィードバック機構３０は上述のフィードバック機構とは異なる。さらに、ポータブル電子デバイス２０はフィードバック機構３０を含み、該フィードバック機構３０は、本実施形態において、タッチスクリーンディスプレイ２４の入力表面２８上へのユーザの押圧によって力を加えるとき、ポータブル電子デバイス２０のユーザに触覚フィードバックを提供するためのスイッチ３２とその他のコンポーネントとを含む。スイッチ３２は、例えば、機械的なドームタイプスイッチ３２であり得、図１２に、圧縮されていない、すなわち作動されていない状態で示される。スイッチ３２は、ベース２２から、タッチスクリーンディスプレイ２４の方向に離れるように移動可能である。本例示的な実施形態において、２つのレバーアーム９２はスイッチの下側から、タッチスクリーンディスプレイ２４のそれぞれの側に向かって延びる。複数のレバーアーム９２の各々は、図１２に示されるように、レバーアーム９２の端部の間に位置するそれぞれのピボットピン１０４の周囲で旋回可能である。再び、ピボットピン１０４の位置がフィードバック機構３０の適切な動作および性能のために選択され得ることが認識される。複数のレバーアーム９２は、２つのレバーアーム９２の間の薄い材料の可撓性部分によって、それらのそれぞれの端部で互いに接続され、単一式であり、ヒンジ１１０を提供する。レバーアーム９２は変位に対してスイッチ３２を支持するように交錯されるフィンガ１０８である。
【００６３】
図１３を参照すると、複数のレバーアーム９２と、ピボットピン１０４とフィンガ１０８とを含むフィードバック機構３０の一部分の斜視図が示される。図１３に示される例において、複数のレバーアーム９２のうちの一方が、複数のレバーアーム９２のうちの他方の２つのフィンガ１０８の間に位置する単一のフィンガ１０８を含む。複数のレバーアーム９２およびフィンガ１０８は、ヒンジ１１０によって提供される繰り返される相対的動作に対して適切なプラスチック材料から構築される。各レバーアーム９２はまた、フィンガ１０８を含む端部と反対の端部上に突起９８を提供するように形作られる。突起９８は、タッチスクリーンディスプレイ２４が支え位置にある場合に、タッチスクリーンディスプレイ２４から離れており、該支え位置においてタッチスクリーンディスプレイは１つ以上のバイアス要素（図示せず）によってフレーム８６に向けてバイアスされる。
【００６４】
各レバーアーム９２がそれぞれのピボットピン１０４の周囲で旋回可能であり、スイッチ３２を支持するフィンガ１０８の動きを引き起こし、それゆえベース２２とタッチスクリーンディスプレイ２４との間のスイッチ３２の動きを引き起こすことが認識される。従って、タッチスクリーンディスプレイへのユーザの押圧によって加えられる力に起因するタッチスクリーンディスプレイ２４の変位は、タッチスクリーンディスプレイ２４を２つの突起９８のうちの少なくとも１つに接触させる。タッチセンシティブ入力表面２８上へのユーザの押圧によるタッチスクリーンディスプレイ２４の一方の側への力の適用は、タッチスクリーンディスプレイ２４の旋回を引き起こし、その結果力が加えられている側がベース２２に向かって動き、それぞれの突起９８と接触し、それぞれのレバーアーム９２の旋回を引き起こし、それぞれの停止部９９と接触するようになる。レバーアーム９２の旋回は、フィンガ１０８の変位を引き起こし、その結果、ベース２２から離れてタッチスクリーンディスプレイ２４に向かうスイッチ３２の変位を引き起こし、ディスプレイサポート８９に対する圧縮の結果としてスイッチ３２を作動させる。タッチセンシティブ入力表面２８上へのユーザの押圧によるタッチスクリーンディスプレイ２４の中心近くへの力の適用は、タッチスクリーンディスプレイ２４の中心近位で、タッチスクリーンディスプレイ２４の変位を引き起こし、突起９８と接触するようになり、スイッチ３２の作動の結果として生じるさらなる変位を引き起こす。図９〜図１１を参照して記述される実施形態のように、本実施形態におけるレバーアーム９２は、タッチスクリーンディスプレイ２４の中心に力が加えられるとき屈曲し、その結果レバーアーム９２がそれぞれの停止部９９と接触する。
【００６５】
タッチスクリーンディスプレイ２４と、ベース２２に対して移動可能な機械的なスイッチ３２を含むフィードバック機構３０とは、ユーザに所望の触覚フィードバックを提供する。フィードバック機構３０は、タッチスクリーンディスプレイ２４に関するスイッチ３２の相対運動を提供し、タッチスクリーンディスプレイ２４側の近位または角に力が加えられるときにスイッチ３２を作動させるために必要とされる変位を低減する。それゆえ、フィードバック機構３０は、力がタッチスクリーンディスプレイ２４の側面または角近くに加えられるときのタッチスクリーンディスプレイ２４の中心の変位に対する、力がタッチスクリーンディスプレイ２４の中心近くに加えられるときのタッチスクリーンディスプレイ２４の中心の変位における差を補正する。従ってタッチスクリーンディスプレイ２４は、スイッチ３２の方に動き、スイッチ３２はタッチスクリーンディスプレイ２４の方に動き得る。このような補正機構なしでは、タッチスクリーンディスプレイ２４のエッジ近近くに力が加えられるときのタッチスクリーンディスプレイ２４の変位は、中心近くに力が加えられるときのタッチスクリーンディスプレイ２４の変位の約２倍である。
【００６６】
本明細書に記述される実施形態はポータブル電子デバイスの特定の実装に向けられるが、これらの実施形態に対する修正および変更が本出願の範囲および領域（ｓｐｈｅｒｅ）内であることが理解される。例えば、上記ポータブル電子デバイスの特徴の多くのサイズおよび形状は、同一の機能を提供しながらも異なり得る。多くのその他の修正および変更が当業者に対して想到し得る。このような全ての修正および変更は本発明の領域および範囲内であることが考えられる。
【図面の簡単な説明】
【００６７】
【図１】図１は、例示的な一実施形態に従うポータブル電子デバイスの上面図であり、例示のために、想像の外形で示される特定の隠れた特徴を有する。
【図２】図２は、図１のポータブル電子デバイスの簡略化された側面断面図である（縮尺は合っていない）。
【図３】図３は、図１のポータブル電子デバイスの特定の内部コンポーネントを含む特定のコンポーネントのブロック図である。
【図４】図４は、図１のポータブル電子デバイスの簡略化された側面断面図であり（縮尺は合っていない）、タッチスクリーンディスプレイ上の一点に加えられる力を示している。
【図５】図５は、図１のポータブル電子デバイスの簡略化された側面断面図であり（縮尺は合っていない）、タッチスクリーンディスプレイ上の一点に加えられる力を示している。
【図６】図６は、別の実施形態に従うポータブル電子デバイスの簡略化された側面断面図である（縮尺は合っていない）。
【図７】図７は、図６のポータブル電子デバイスの簡略化された側面断面図であり（縮尺は合っていない）、タッチスクリーンディスプレイ上の一点に加えられる力を示している。
【図８】図８は、図６のポータブル電子デバイスの簡略化された側面断面図であり（縮尺は合っていない）、タッチスクリーンディスプレイ上の一点に加えられる力を示している。
【図９】図９は、さらに別の実施形態に従う、ポータブル電子デバイスの簡略化された側面断面図である（縮尺は合っていない）。
【図１０】図１０は、図９のポータブル電子デバイスの一部分の上面図である。
【図１１】図１１は、図９に示される実施形態に従うポータブル電子デバイスの簡略化された側面断面図であり（縮尺は合っていない）、タッチスクリーンディスプレイ上の一点に加えられる力を示している。
【図１２】図１２は、さらに別の実施形態に従うポータブル電子デバイスの簡略化された側面断面図である（縮尺は合っていない）。
【図１３】図１３は、図１０のポータブル電子デバイスの一部分の斜視図である。
【符号の説明】
【００６８】
２０  電子デバイス
２２  ベース
２４  タッチスクリーンディスプレイ
２６  ディスプレイデバイス
２８  タッチセンシティブ入力表面
３０  フィードバック機構
３２  スイッチ
８６  フレーム
８８  側壁
９０  スイッチプラットフォーム
９２  レバーアーム
９４  ピボット
９６  レスト表面
９８  突起
９９  停止部
１００  バイアス要素
【図１】
0004927060.tif 000002
【図２】
0004927060.tif 000003
【図３】
0004927060.tif 000004
【図４】
0004927060.tif 000005
【図５】
0004927060.tif 000006
【図６】
0004927060.tif 000007
【図７】
0004927060.tif 000008
【図８】
0004927060.tif 000009
【図９】
0004927060.tif 000010
【図１０】
0004927060.tif 000011
【図１１】
0004927060.tif 000012
【図１２】
0004927060.tif 000013
【図１３】
0004927060.tif 000014